(57)【要約】      （修正有）【課題】現地側の装置を遠隔制御し、マルチビュー画像をセンター側で確認しながら切換え可能なシステムを提供する。【解決手段】現地側にカメラ・システム２０、すべてのカメラ画像およびリプレイ映像に固定遅延を与える遅延装置２３、ビデオスイッチャー２４、リプレイ装置２１、映像伝送装置２２、２５、２６を設け、センター側に映像伝送装置２８、３１、３４、リプレイ用マルチビュー・モニター２９、リプレイ装置３０、スイッチャー用マルチビュー・モニター３２、ビデオスイッチャー３３を設ける。センター側のビデオスイッチャー３３により現地側ビデオスイッチャー２４を遠隔制御するリモートスイッチングにおいて、センター側のスイッチャー用マルチビュー映像がインターネットを介する圧縮、伸張に伴う伝送遅延によるスイッチタイミングの遅れを現地側遅延装置２３で補償し、送られる映像のスイッチタイミングが不自然にならないように合わせる。【選択図】図２
2020088588.tif 000002
【特許請求の範囲】
【請求項１】
現地側にカメラ・システム、すべてのカメラ画像およびリプレイ映像に固定遅延を与える遅延装置、映像伝送装置（スイッチャー用マルチ映像）、映像伝送装置（本線用）を設け、センター側に映像伝送装置（スイッチャー用）、スイッチャー用マルチビュー・モニター、ビデオスイッチャー及び映像伝送装置（本線用）を設け、センター側のビデオスイッチャーによる現地側ビデオスイッチャーを遠隔制御するリモートスイッチングにおいて、センター側に流れるスイッチャー用マルチビュー映像がインターネットを介する圧縮、伸張に伴う伝送遅延量により遅れて到達することによるスイッチタイミングの遅れを現地側遅延挿入装置で補償し、現地からセンター側に送られる映像のスイッチタイミングが不自然にならないように合わせたことを特徴とするリモートプロダクション・システム。
【請求項２】
現地側にリプレイ装置、映像伝送装置（リプレイ映像用）を設け、センター側に、映像伝送装置（リプレイ用）、リプレイ用マルチモニター、リプレイ装置を設け、センター側のリプレイ装置によりリプレイ動作を行うことを特徴とする請求項１記載のリモートプロダクション・システム。
【発明の詳細な説明】
【技術分野】
【０００１】
本発明は、スポーツや音楽のライブ中継システムに関する。
【背景技術】
【０００２】
従来のプロダクション・システムを図１に示す。
図１において、カメラ・システム１は、イベントの会場内に設置するカメラ群であり、制作規模に応じて４台から１２台程度が設置される。２〜４はリプレイ装置であって、メインユニット（ＭＵ）２、マルチビュー・モニター３及びオペレーション・ユニット（リプレイ装置）４から構成される。リプレイ装置は、ゲーム中にスローモーションやリプレイ、ハイライトを制作するための装置であり、スローオペレータ８が操作する。
【０００３】
５〜７はライブ映像制作用スイッチング装置であり、メインユニット５、スイッチャー用マルチビュー・モニター6及びビデオ・スイッチャー７から構成され、スイッチャー９がマルチビュー・モニター6を見ながらリプレイ映像からプログラム本線映像を選択して出力する。
【０００４】
映像伝送装置１１〜１３は、低速回線で映像伝送を行うためのエンコーダ（画像圧縮装置）１１及びセンター側のデコーダ１３（画像伸張装置）を用いてインターネット１２網上に映像伝送用の固定領域を確保するネットワーク・システムである。なお、映像伝送は伝送担当者１０が操作する。
【０００５】
この従来のプロダクション・システムは、「現場に多くの制作技術スタッフが行く必要があることによるコスト、人員稼働の非効率性（同一人物が１日に時間をずらして２つの中継を対応することは難しい）」という欠点があった。
【発明の概要】
【発明が解決しようとする課題】
【０００６】
本発明は、上記スローオペレータやスイッチャーがセンター側から現地側の装置を遠隔制御し、マルチビュー画像をセンター側で確認しながら現地側のビデオスイッチャーを遠隔制御して現地に必要な人手を省くものである。
【０００７】
なお、このリモートプロダクションには全カメラの映像を伝送し、カメラマンを除いたすべての制作をセンター側で実施する方法もあるが、この場合相応の回線帯域（広帯域）が必要になり、インターネット等の低速回線しか確保できないローカルな現地（例えば、地方で行われるサッカー試合等）には対応できない。
【０００８】
この発明はこのような低速回線でも伝送可能なリモートプロダクション・システムを提供することを目的とする。
【課題を解決するための手段】
【０００９】
上記目的を達成するために、この発明のリモートプロダクショ・システムは、現地側にカメラ・システム、すべてのカメラ画像およびリプレイ映像に固定遅延を与える遅延挿入装置、リプレイ装置、映像伝送装置（リプレイ映像用）、映像伝送装置（スイッチャー用マルチ映像）、映像伝送装置（本線用）を設け、センター側に映像伝送装置（リプレイ用）、リプレイ用マルチモニター、リプレイ装置、また、映像伝送装置（スイッチャー用）、スイッチャー用マルチビュー・モニター、ビデオスイッチャー及び映像伝送装置（本線用）を設け、センター側のビデオスイッチャーによる現地側ビデオスイッチャーを遠隔制
御するリモートスイッチングにおいてセンター側に流れるスイッチャー用マルチビュー映像がインターネットを介する圧縮、伸張に伴う伝送遅延量により遅れて到達することによるスイッチタイミングの遅れ（数１００ｍｓｅｃ）を現地側遅延挿入装置で補償し、現地からセンター側に送られる映像のスイッチタイミングが不自然にならないように合わせたことを特徴とする。
【発明の効果】
【００１０】
本発明は、中継現場の映像制作を遠隔制御により対応させることにより、現地人員減による制作コストの削減、センター集中化による効率的な運用稼働を実現できる。
【図面の簡単な説明】
【００１１】
【図１】従来例のプロダクション・システムを示す図である。
【図２】本発明のリモートプロダクション・システムを示す図である。
【発明を実施するための形態】
【００１２】
以下、本発明の実施の形態を図面に基づいて説明する。図２に、本発明のリモートプロダクション・システムの説明図を示す。
【００１３】
リモートプロダクシン・システムにおいても、カメラ・システム２０においてカメラマンは現地にて撮影する。リモートプロダクション・システムにおいては、現地会場に設置されたメインユニット２１から出力されるマルチビュー映像２９をセンター側拠点で確認しながら、オペレーション・ユニット３０でメイン・ユニット２１をリモート制御することでリプレイ操作を行う。
【００１４】
この場合、現地会場からセンター拠点にマルチビュー映像を伝送するために映像伝送装置（リプレイＭＶ）２２，２８を使用する。
【００１５】
また、リモートプロダクション構成においては、現地会場に設置したメインユニット２４から出力されるマルチ映像をモニター３２によりセンター拠点側で確認しながらオペレーション・ユニット２４をリモート制御することでスイッチャー３６がスイッチング操作を行う。
【００１６】
現地会場からセンター拠点にマルチビュー映像を伝送するために映像伝送装置（スイッチャーＭＶ）２５，３１を使用するが、インターネットを介することと圧縮・伸張に伴う伝送遅延が発生し、この伝送遅延（数１００ｍｓｅｃ）により、実際のモニター３２を見ながらのスイッチングに遅れが生じる。その遅れをオフセットするために、現地会場側ではすべてのカメラ映像及びリプレイ映像に対して遅延挿入装置２３から固定遅延を挿入した信号について、ビデオスイッチャーＭ／Ｅ２の入力信号とし、本線はＭ／Ｅ２の出力信号を用いる。
【００１７】
なお、Ｍ／Ｅ１は固定遅延挿入前のカメラ映像信号をダイレクトに入力し、マルチ映像はＭ／Ｅ１から出力する。
【００１８】
映像伝送装置（本線用）２６，３４は、従来のプロダクション・システムにおける本線伝送方式と同様である。遅延挿入装置２３はすべてのカメラ映像及びリプレイ映像に固定遅延量を挿入するための装置である。映像伝送装置（リプレイＭＶ）及び映像伝送装置（スイッチャーＭＶ）は、映像伝送装置（本線用）と同モデルを想定している。
【００１９】
なお、ハイビジョン映像信号（カメラ映像）は非圧縮で1.5Gbpsであるが、こちらをリプレイ用、スイッチャー用には10Mbps程度まで圧縮し、本線は20Mbps程度に圧縮する。
【００２０】
以上のように、遠隔制御対応による不可能となるスイッチング・タイミングのずれは全カメラ映像に固定遅延を挿入することにより解決する。
【産業上の利用可能性】
【００２１】
スポーツや音楽のライブ中継はＯＴＴ（Ｏｖｅｒ―Ｔｈｅ―Ｔｏｐ）サービス（インターネットで動画を配信すること）の普及と共に増加しており、中継車の稼働率が上昇し、人員・機材ともに不足することが予想される。本発明は、インターネット等の低速回線しか確保できないローカルな現地にも遠隔制御でビデオスイッチングが実現できるので、産業上の利用性が高い。
【符号の説明】
【００２２】
１  カメラ・システム
２  リプレイ装置
３  リプレイ用モニター
４  リプレイ装置
５  ビデオスイッチャー
６  スイッチャー用モニター
７  ビデオスイッチャー
８  スローオペレータ
９  スイッチャー
１０  伝送担当者
１１  映像伝送装置
１２  インターネット網
１３  映像伝送装置
２０  カメラ・システム
２１  リプレイ装置
２２  映像伝送装置（リプレイ）
２３  遅延挿入装置
２４  ビデオスイッチャー
２５  映像伝送装置（スイッチャー）
２６  映像伝送装置（本線）
２７  伝送担当者
２８  映像伝送装置（リプレイ）
２９  リプレイ用モニター
３０  リプレイ装置
３１  映像伝送装置（スイッチャー）
３２  スイッチャー用モニター
３３  ビデオスイッチャー
３４  映像伝送装置（本線）
３５  スローオペレータ
３６  スイッチャー
【図１】
2020088588.tif 000003
【図２】
2020088588.tif 000004